(57)【要約】      （修正有）【課題】長時間にわたって照明特性を維持することができる面状照明装置を提供する。【解決手段】面状照明装置１は、光源１１と、光源１１が入光側面に配置される導光板４０と、光源１１及び導光板４０の外周側面を取り囲む側壁１０ｂを有する収納容器１０と、側壁１０ｂのうち光源１１に対向する側壁の外側面１０ｂ−２及び上端面１０ｂ−３に貼着され、当該上端面１０ｂ−３と光源１１の上面と導光板４０の上面の一部とを覆う第１遮光シート２０と、前記第１遮光シート２０が貼着される前記側壁１０ｂ以外の側壁の上端面に貼着され、当該上端面を少なくとも覆う第２遮光シート２１とを備える。第１遮光シート２０は、貼着される側壁１０ｂの外側面１０ｂ−２から当該側壁１０ｂに対向する側壁に向かって覆う第１遮光層２０ａと、第１遮光層２０ａの上面の一部から第１遮光層２０ａが貼着される前記側壁に対向する側壁に向かって覆う第２遮光層２０ｂとを含む。【選択図】図２
2018092897.tif 000002
【特許請求の範囲】
【請求項１】
光源と、前記光源が入光側面に配置される導光板と、前記光源及び前記導光板の外周側面を取り囲む側壁を有する収納容器と、
前記側壁のうち前記光源に対向する側壁の外側面及び上端面に貼着され、当該上端面と前記光源の上面と前記導光板の上面の一部とを覆う第１遮光シートと、
前記第１遮光シートが貼着される前記側壁以外の側壁の上端面に貼着され、当該上端面を少なくとも覆う第２遮光シートと
を備え、
前記第１遮光シートは、
貼着される前記側壁の外側面から当該側壁に対向する側壁に向かって覆う第１遮光層と、前記第１遮光層の上面の一部から前記第１遮光層が貼着される前記側壁に対向する側壁に向かって覆う第２遮光層とを含む、面状照明装置。
【請求項２】
前記第１遮光層は、
貼着される前記側壁の外側面から前記光源の上面の一部にわたって覆う、
請求項１に記載の面状照明装置。
【請求項３】
互いに隣接する前記第１遮光シートと前記第２遮光シートとの間には、スリットが形成される、請求項１または２に記載の面状照明装置。
【請求項４】
前記スリットは、
上面視においてクランク形状である、
請求項３に記載の面状照明装置。
【請求項５】
前記第１遮光層は、片面テープであり、
前記第２遮光層及び前記第２遮光シートは、両面テープである、
請求項１〜４のいずれか１つに記載の面状照明装置。
【請求項６】
前記第２遮光シートの厚さは、
前記第１遮光層と前記第２遮光層とが重なった部位における前記第１遮光シートの厚さと略同じである、
請求項１〜５のいずれか１つに記載の面状照明装置。
【請求項７】
光源と、前記光源が入光側面に配置される導光板と、前記光源及び前記導光板の外周側面を取り囲む側壁を有する収納容器と、
前記側壁のうち前記光源に対向する側壁の外側面及び上端面に貼着され、当該上端面と前記光源の上面と前記導光板の上面の一部とを覆う第１遮光シートと、
前記第１遮光シートが貼着される前記側壁以外の側壁の上端面に貼着される第２遮光シートと
を備え、
前記第１遮光シートと前記第２遮光シートとは層構造が異なる、面状照明装置。
【発明の詳細な説明】
【技術分野】
【０００１】
本発明は、面状照明装置に関する。
【背景技術】
【０００２】
従来、ＬＥＤ（Light  Emitting  Diode）が導光板の入光側面に配置され、ＬＥＤおよび導光板の外周側面を取り囲む側壁を有する収納容器を備えた面状照明装置が知られている。また、かかる面状照明装置にあっては、導光板の出射面の有効領域を規定する遮光シートが側壁の上端面に貼着されている。
【先行技術文献】
【特許文献】
【０００３】
【特許文献１】特開２０１３−０１５６３７号公報
【発明の概要】
【発明が解決しようとする課題】
【０００４】
しかしながら、上記した従来技術に係る面状照明装置では、狭額縁化と、遮光シートと収納容器（フレーム）との接着強度の確保とを両立させるため、例えば、遮光シートが種々の材料を重ねて形成される。そのため、装置の使用環境の変化によっては、収納容器とともに遮光シートに接着される光学シートに皺が発生し、長時間にわたって照明特性を維持できない場合があった。
【０００５】
本発明は、上記に鑑みてなされたものであって、照明特性を維持することができる面状照明装置を提供することを目的とする。
【課題を解決するための手段】
【０００６】
上述した課題を解決し、目的を達成するために、本発明の一態様に係る面状照明装置は、光源と、前記光源が入光側面に配置される導光板と、前記光源及び前記導光板の外周側面を取り囲む側壁を有する収納容器と、前記側壁のうち前記光源に対向する側壁の外側面及び上端面に貼着され、当該上端面と前記光源の上面と前記導光板の上面の一部とを覆う第１遮光シートと、前記第１遮光シートが貼着される前記側壁以外の側壁の上端面に貼着され、当該上端面を少なくとも覆う第２遮光シートとを備え、前記第１遮光シートは、貼着される前記側壁の外側面から当該側壁に対向する側壁に向かって覆う第１遮光層と、前記第１遮光層の上面の一部から前記第１遮光層が貼着される前記側壁に対向する側壁に向かって覆う第２遮光層とを含む。
【発明の効果】
【０００７】
本発明の一態様によれば、照明特性を維持することができる。
【図面の簡単な説明】
【０００８】
【図１】図１は、実施形態に係る面状照明装置の外観の一例を示す平面図である。
【図２】図２は、図１のＶ−Ｖ線断面斜視図である。
【図３】図３は、実施形態に係る収納容器を説明する平面図である。
【図４】図４は、図２のＡ部分を拡大した平面図である。
【図５】図５は、図２のＷ−Ｗ線断面模式図である。
【図６Ａ】図６Ａは、実施形態に係るスリットの変形例１を示す平面図である。
【図６Ｂ】図６Ｂは、実施形態に係るスリットの変形例２を示す平面図である。
【図７】図７は、他の実施形態に係る面状照明装置の断面斜視図である。
【図８】図８は、図７のＢ部分を拡大した平面図である。
【発明を実施するための形態】
【０００９】
以下、実施形態に係る面状照明装置について図面を参照して説明する。なお、以下に示す実施形態によりこの発明が限定されるものではない。また、図面における各要素の寸法の関係、各要素の比率等は、現実と異なる場合がある。また、図面の相互間においても、互いの寸法の関係や比率が異なる部分が含まれている場合がある。
【００１０】
まず、図１、図２および図３を用いて、実施形態に係る面状照明装置１の構成例について説明する。図１は、実施形態に係る面状照明装置１の外観の一例を示す平面図である。図２は、図１のＶ−Ｖ線断面斜視図である。図３は、実施形態に係る収納容器１０を説明する平面図である。
【００１１】
なお、図１、図２および図３には、説明を分かりやすくするために、光が出射する側の面を正方向とするＺ軸を含む３次元の直交座標系を図示している。かかる直交座標系は、以下の説明で用いる他の図面においても示す場合がある。
【００１２】
図１に示すように、実施形態に係る面状照明装置１は、導光板４０の出射面４０ａ（図２参照）において、第１遮光シート２０および第２遮光シート２１で覆われていない領域である有効領域３０から光を出射する。すなわち、かかる面状照明装置１は、第１遮光シート２０および第２遮光シート２１によって導光板４０の出射面４０ａの有効領域３０を規定する。なお、第１遮光シート２０は、第１遮光層２０ａと第２遮光層２０ｂとを備える（図２参照）。
【００１３】
本実施形態に係る面状照明装置１は、例えば、液晶表示装置のバックライトとして用いられる。また、かかる液晶表示装置は、例えば、スマートフォンやタブレット等の情報携帯端末において用いられる。
【００１４】
また、第１遮光シート２０と第２遮光シート２１との間には、スリット２が形成されている。なお、第１遮光シート２０、第２遮光シート２１およびスリット２の詳細については後述する。
【００１５】
図２に示すように、面状照明装置１は、収納容器１０と、ＬＥＤ（Light  Emitting  Diode）１１と、ＦＰＣ（Flexible  Printed  Circuit）１２と、固定部材１３と、拡散シート１４と、プリズムシート１５と、固定部材１６と、反射シート１７と、固定部材１８と、連結部材１９と、導光板４０とを備える。
【００１６】
収納容器１０は、ＬＥＤ１１と、ＦＰＣ１２と、固定部材１３と、拡散シート１４と、プリズムシート１５と、固体部材１６と、反射シート１７と、固定部材１８と、連結部材１９と、導光板４０とを収納する。かかる収納容器１０は、底部１０ａと側壁１０ｂとを備える。
【００１７】
底部１０ａは、導光板４０の裏面４０ｂに沿って広がる部位であり、底面１０ｃを備える。かかる底面１０ｃは、第１平面１０ｃ−１と、第１平面１０ｃ−１からＺ軸負方向側に一段下がった第２平面１０ｃ−２とを備える。
【００１８】
側壁１０ｂは、導光板４０の入光側面４０ｃの長辺に沿って、底部１０ａからＺ軸正方向（光が出射する方向）側に立ち上がる部位である。かかる側壁１０ｂは、内側面１０ｂ−１と外側面１０ｂ−２と上端面１０ｂ−３とを有する。
【００１９】
図３に示すように、上記した収納容器１０は、略直方体状の容器本体５０と、かかる容器本体５０の内側面に沿って設けられた断面視Ｕ字状の枠部材５１とを備える。容器本体５０は、剛性が大きい、例えば、ステンレス製の板金からなる。枠部材５１は、例えば、樹脂からなる。
【００２０】
本実施形態では、容器本体５０のＬＥＤ１１に対向する内側面以外の内側面に枠部材５１を設けることで、収納容器１０のＬＥＤ１１に対向する側壁１０ｂ以外の側壁１０ｂの厚さを収納容器１０のＬＥＤ１１に対向する側壁１０ｂの厚さよりも厚くしている。
【００２１】
なお、収納容器１０のＬＥＤ１１に対向する側壁１０ｂは、容器本体５０の側壁からなり、収納容器１０のＬＥＤ１１に対向する側壁１０ｂ以外の側壁１０ｂは、容器本体５０の側壁と枠部材５１の側壁とからなる。つまり、収納容器１０のＬＥＤ１１に対向する側壁１０ｂ以外の側壁１０ｂの上端面１０ｂ−３の幅は、容器本体５０の側壁の厚さと枠部材５１の側壁の厚さとを合わせた幅である。
【００２２】
図２に戻り、ＬＥＤ１１は、点状の光源であり、例えば、青色ＬＥＤと黄色蛍光体とを含む疑似白色ＬＥＤである。かかるＬＥＤ１１は、全体として略直方体状に形成され、Ｙ軸方向において対向する一対の主面１１ａ，１１ｂを有し、一方の主面（発光面）１１ａがＹ軸正方向側にある導光板４０の入光側面４０ｃに当接される。
【００２３】
本実施形態では、ＬＥＤ１１が導光板４０の入光側面４０ｃに沿ってＸ軸方向に均等な間隔で複数配置されるものとする。なお、複数のＬＥＤ１１は、必ずしも均一な間隔で配置される必要はなく、不均一な間隔で配置されてもよい。かかる複数のＬＥＤ１１は、Ｙ軸正方向側にある発光面１１ａから導光板４０の入光側面４０ｃへ向けて光を発する。なお、ＬＥＤ１１は、光源の一例である。
【００２４】
ＦＰＣ１２は、Ｙ軸方向において対向する一対の主面を有し、一方の主面がＬＥＤ１１の発光面１１ａとは反対側の他方の主面１１ｂに当接（実装）される。かかるＦＰＣ１２には、ＬＥＤ１１への給電等を行うための回路が設けられる。
【００２５】
固定部材１３は、収納容器１０における側壁１０ｂの内側面１０ｂ−１にＦＰＣ１２を固定する。かかる固定部材１３は、例えば、両面テープであり、一方の面がＦＰＣ１２の他方の主面に貼り付けられ、他方の面が内側面１０ｂ−１に貼り付けられる。
【００２６】
導光板４０は、ＬＥＤ１１からの光を導いて面状に発光させるものであり、例えば、ポリカーボネート樹脂やアクリル樹脂等の透光性材料を含む。かかる導光板４０は、Ｚ軸方向において対向する一対の主面４０ａ，４０ｂと、ＬＥＤ１１を配置する側の側面である入光側面（入光面）４０ｃと、入光側面４０ｃとは反対側の側面（図示せず）とを備える。入光側面４０ｃには、ＬＥＤ１１が発した光が入射される。
【００２７】
また、２つの主面４０ａ，４０ｂのうちＺ軸正方向側にある一方の主面４０ａは、入光側面４０ｃから入射された光（ＬＥＤ１１が発した光）が出射される出射面（発光面）である。また、Ｚ軸負方向側にある他方の主面４０ｂは、導光板４０内に入射された光が反射される反射面（裏面）である。
【００２８】
つまり、他方の主面４０ｂには、例えば、複数のドットからなる光路変更パターンが形成されており、かかる光路変更パターンによって導光板４０内を進む光の進行方向が変更されて、一方の主面４０ａから光が出射される。なお、以下の説明では、「一方の主面４０ａ」を「出射面４０ａ」と記載し、「他方の主面４０ｂ」を「反射面４０ｂ」と記載する。
【００２９】
拡散シート１４は、導光板４０の出射面４０ａを覆うように配置され、出射面４０ａから出射される光を拡散する。プリズムシート１５は、拡散シート１４に対して導光板４０とは反対側に配置され、拡散シート１４によって拡散された光の配光制御を行い、配光制御が行われた光を出射する。
【００３０】
固定部材１６は、例えば、両面テープであり、一方の面の一部が、導光板４０の出射面４０ａの一部およびＬＥＤ１１の上面（Ｚ軸正方向側の面）に貼り付けられている。また、他方の面に拡散シート１４の一部（入光側面４０ｃ側の端部）が重ねられ貼り付けられる。かかる固定部材１６は、導光板４０と拡散シート１４との間に配置されることで、入光側面４０ｃ側の拡散シート１４およびプリズムシート１５をＺ軸正方向側に盛り上げている。つまり、プリズムシート１５は、入光側面４０ｃ側の端部が拡散シート１４を介して固定部材１６に重なることで、固定部材１６の厚さ分だけ入光側面４０ｃ側の端部が盛り上がり、かかる端部の上面の高さ位置を後述する第１遮光層２０ａの上面の高さ位置と略同じになるようにしている。
【００３１】
反射シート１７は、導光板４０の反射面４０ｂに配置され、導光板４０の反射面４０ｂから漏れた光を反射して、再度、導光板４０に戻す。固定部材１８は、例えば、両面テープであり、反射シート１７の一部に貼り付けられ、他方の面が収納容器１０の第１平面１０ｃ−１に貼り付けられる。これにより、反射シート１７は、収納容器１０の底面１０ｃ上に固定される。
【００３２】
連結部材１９は、導光板４０の入光側面４０ｃ側の反射面４０ｂおよびＬＥＤ１１と収納容器１０の第２平面１０ｃ−２との間に配置され、導光板４０とＬＥＤ１１とを光学的かつ構造的に連結させる。具体的には、連結部材１９は、導光板４０の入光側面４０ｃとＬＥＤ１１の発光面１１ａとを連結させる。また、連結部材１９は、導光板４０の入光側面４０ｃ側の反射面４０ｂとＬＥＤ１１のＺ軸負方向側の面とを連続的に覆うように配置される。
【００３３】
かかる連結部材１９は、例えば、片面に粘着面を有する短冊状の片面テープであり、接着層（粘着剤）１９ａおよび基材１９ｂを含む。基材１９ｂは、例えば、ＰＥＴ（Polyethylene  Terephthalate）であり、接着層１９ａは、例えば、シリコンやアクリルである。これにより、連結部材１９に、導光板４０の反射面４０ｂとＬＥＤ１１の下面（Ｚ軸負方向側の面）とが面一に取り付けられることとなる。
【００３４】
そして、図２に示すように、第１遮光シート２０は、第１遮光層２０ａと第２遮光層２０ｂとを備える。つまり、第１遮光シート２０は、第１遮光層２０ａと第２遮光層２０ｂとを含む２層構造の遮光シートである。
【００３５】
第１遮光層２０ａは、貼着される側壁１０ｂの外側面１０ｂ−２からかかる側壁１０ｂに対向する側壁１０ｂに向かって覆う。具体的には、この実施形態では、第１遮光層２０ａは、ＬＥＤ１１のＸ軸方向に沿う面に対向する側壁１０ｂの外側面１０ｂ−２からＬＥＤ１１の上面の一部にわたって側壁１０ｂの外側面１０−２およびＬＥＤ１１をＸ軸方向の幅方向に覆う。また、第１遮光層２０ａは、拡散シート１４の入光側面４０ｃ側の端部を覆う。つまり、第１遮光層２０ａの上面の高さ位置は、盛り上がったプリズムシート１５の上面の高さ位置と略同じである。
【００３６】
かかる第１遮光層２０ａは、例えば、一方の面に粘着面を有する片面テープであり、粘着面が側壁１０ｂの外側面１０ｂ−２および上端面１０ｂ−３に貼り付けられる。これにより、側壁１０ｂの外側面１０ｂ−２には、粘着面が外部に露出しないようにすることができ、面状照明装置１のハンドリングを良くすることができる。
【００３７】
第２遮光層２０ｂは、第１遮光層２０ａの上面の一部から第１遮光層２０ａが貼着される側壁１０ｂに対向する側壁１０ｂに向かって覆う。具体的には、第２遮光層２０ｂは、第１遮光層２０ａの上面の一部から導光板４０の一部にわたって第１遮光層２０ａおよび導光板４０のＸ軸方向の幅方向に覆う。また、第２遮光層２０ｂは、Ｙ軸正方向側の角部に第２遮光シート２１のＹ軸負方向側の端部を収納する切欠き部が形成される。
【００３８】
かかる第２遮光層２０ｂは、例えば、両面に粘着面を有する両面テープであり、Ｚ軸負方向側の一方の粘着面が側壁１０ｂの上端面１０ｂ−３、第１遮光層２０ａおよびプリズムシート１５に貼り付けられ、Ｚ軸正方向側の他方の粘着面が液晶表示装置に貼り付けられる。
【００３９】
図２に示すように、第１遮光シート２０は、収納容器１０のＸ軸方向に沿う側壁１０ｂ（の内側）において、第１遮光層２０ａのＹ軸正方向側へ伸びた部分が固定部材１３とＦＰＣ１２とＬＥＤ１１の上面の一部とを覆う。
【００４０】
また、第１遮光シート２０は、収納容器１０のＸ軸方向に沿う側壁１０ｂにおいて、第２遮光層２０ｂのＹ軸正方向側へ伸びた部分が第１遮光層２０ａの一部とＬＥＤ１１と導光板４０の上面の一部とを覆う。
【００４１】
なお、収納容器１０のＹ軸方向に沿う側壁１０ｂの上端面１０ｂ−３に貼着される第１遮光シート２０においては、第２遮光層２０ｂが第１遮光層２０ａの上面を覆う。
【００４２】
つまり、収納容器１０のＸ軸方向に沿う側壁１０ｂ側に形成される第１遮光シート２０では、第１遮光層２０ａと第２遮光層２０ｂとが重なる部位は、第１遮光層２０ａが固定部材１３とＦＰＣ１２とＬＥＤ１１の上面の一部とを覆う部分である。
【００４３】
第２遮光シート２１は、第１遮光層２０ａが貼着される側壁１０ｂ以外の側壁１０ｂに貼着され、側壁１０ｂの上端面１０ｂ−３および導光板４０の外周縁を覆う。
【００４４】
かかる第２遮光シート２１は、例えば、両面に粘着面を有する両面テープであり、Ｚ軸負方向側の一方の粘着面が側壁１０ｂの上端面１０ｂ−３およびプリズムシート１５の外周縁に貼り付けられ、Ｚ軸正方向側の他方の粘着面が液晶表示装置に貼り付けられる。
【００４５】
次に、図４を用いて、互いに隣接する第１遮光シート２０と第２遮光シート２１との間に形成されるスリット２について説明する。図４は、図２のＡ部分を拡大した図である。
【００４６】
図４に示すように、スリット２は、互いに隣接する第１遮光シート２０と第２遮光シート２１との間に形成される。具体的には、スリット２は、第２遮光層２０ｂの切欠き部に所定の間隔を空けて第２遮光シート２１の端部が収納されることで形成される。かかるスリット２は、上面視において略Ｌ字形状、すなわち、クランク形状である。
【００４７】
次に、図５を用いて、収納容器１０の側壁１０ｂの上端面１０ｂ−３に貼着されている第１遮光シート２０および第２遮光シート２１について説明する。図５は、図２のＷ−Ｗ線断面模式図である。なお、図２に示す構成要素と同様の機能を有する構成要素については、図２に示す符号と同一の符号を付すことにより、その説明を省略する。
【００４８】
図５に示すように、第１遮光シート２０は、収納容器１０のＹ軸方向に沿う側壁１０ｂにおいて、第１遮光層２０ａと第２遮光層２０ｂとを含む２層構造となっている。かかる第１遮光層２０ａの厚さｄ１と第２遮光層２０ｂの厚さｄ２とは同じであってもよい。また、第１遮光層２０ａの厚さｄ１が第２遮光層２０ｂの厚さｄ２よりも小さくてもよいし、大きくてもよい。
【００４９】
また、第２遮光シート２１は、収納容器１０のＹ軸方向に沿う側壁１０ｂおよびＸ軸方向に沿う側壁１０ｂにおいて、１層構造となっている。かかる第２遮光シート２１の厚さＤは、第１遮光層２０ａと第２遮光層２０ｂとが重なった側壁１０ｂにおける第１遮光シート２０の厚さと略同じである。つまり、第２遮光シート２１の厚さＤは、第１遮光層２０ａと第２遮光層２０ｂとを合わせた厚さ（ｄ１＋ｄ２）と同じ程度である。
【００５０】
かかる第２遮光シート２１は、第１遮光シート２０の第１遮光層２０ａおよび第２遮光層２０ｂが重なった部分と厚みが略同じであることから、液晶表示装置が、第２遮光層２０ｂおよび第２遮光シート２１に対して略平行に取り付けられる。上記したように、第１遮光シート２０は片面テープの第１遮光層２０ａと両面テープの第２遮光層２０ｂとを含む２層構造であり、第２遮光シート２１は片面テープのみの１層構造である。つまり、第１遮光シート２０と第２遮光シート２１とは層構造が異なる。
【００５１】
上述したように、実施形態に係る面状照明装置１では、互いに隣接する２層構造の第１遮光シート２０と１層構造の第２遮光シート２１との間にスリット２が形成される。
【００５２】
仮に、第２遮光シート２１を、第１遮光シート２０と同様に片面テープである第１遮光層２０ａと両面テープである第２遮光層２０ｂとの２層構造として、第１遮光シート２０と第２遮光シート２１とを一体化した遮光シートを使った場合、片面テープと両面テープとの熱膨張係数の違いにより、遮光シートに接着される光学シート（拡散シート１４およびプリズムシート１５）に皺が発生する可能性があった。
【００５３】
一方、実施形態に係る面状照明装置１は、外周の４辺のうち３辺が１層構造の第２遮光シート２１が配置されることから、装置の使用環境の変化に伴う応力の発生が抑制される。また、装置の使用環境の変化によって、熱膨張係数が異なる第１遮光シート２０および第２遮光シート２１に応力が生じたとしても、第１遮光シート２０と第２遮光シート２１との間に形成されたスリット２によって応力が緩和される。
【００５４】
したがって、実施形態に係る面状照明装置１は、収納容器１０とともに第１遮光シート２０および第２遮光シート２１に接着されるプリズムシート１５および拡散シート１４における皺の発生を抑えることができ、長時間にわたって照明特性を維持できる。
【００５５】
また、上述したように、実施形態に係る面状照明装置１では、スリット２をクランク形状にすることで、第１遮光シート２０と第２遮光シート２１との間の経路が迷路構造となるため、スリット２からの光の漏れを防止することができる。
【００５６】
また、かかるスリット２の経路内において第１遮光シート２０および第２遮光シート２１に塵が付着することになるため、収納容器１０内への塵の侵入を防止することができる。なお、スリット２は、第１遮光シート２０と第２遮光シート２１との間の経路をさらに複雑にした迷路形状にしてもよい。
【００５７】
また、上述したように、実施形態に係る面状照明装置１では、第２遮光シート２１の厚さＤを、第１遮光層２０ａと第２遮光層２０ｂとを合わせた厚さ（ｄ１＋ｄ２）と同じ程度に厚くすることができるため、第２遮光シート２１における接着層を厚くでき、第２遮光シート２１の接着強度を向上させることができる。
【００５８】
また、上述したように、実施形態に係る面状照明装置１では、容器本体５０のＬＥＤ１１に対向する内側面以外の内側面に枠部材５１を設けることで、収納容器１０のＬＥＤ１１に対向する側壁１０ｂ以外の側壁１０ｂの厚さを収納容器１０のＬＥＤ１１に対向する側壁１０ｂの厚さよりも厚くしている。
【００５９】
このように、収納容器１０のＬＥＤ１１に対向する側壁１０ｂ以外の側壁１０ｂを、枠部材５１の設置によって厚くすることで、第２遮光シート２１との接着面積を増加させることができる。ただし、狭額縁化の要請により接着面積の増加には限界があることから、第２遮光シート２１における接着層を厚くすることによる接着強度の向上は有効である。
【００６０】
また、上述の実施形態では、収納容器１０の側壁１０ｂの厚さを、枠部材５１の設置によって厚くしているが、枠部材５１を設置せずに、枠部材５１の厚さ分だけ、容器本体５０のフレームを厚くしてもよい。あるいは、容器本体５０のフレームを厚くすることなく、より狭額縁化を促進してもよい。
【００６１】
また、上述したように、実施形態に係る面状照明装置１では、第１遮光層２０ａが拡散シート１４の入光側面４０ｃ側の端部を覆い、第１遮光層２０ａの上面の高さ位置と盛り上がったプリズムシート１５の上面の高さ位置とが略同じになっている。つまり、実施形態に係る面状照明装置１では、第１遮光層２０ａがプリズムシート１５と重ならないようになっている。これにより、第１遮光層２０ａの厚さ分だけ装置を薄くすることができる。
【００６２】
次に、図６Ａおよび図６Ｂを用いて、スリット２の変形例について説明する。図６Ａは、実施形態に係るスリット２の変形例１を示す平面図である。図６Ｂは、実施形態に係るスリット２の変形例２を示す平面図である。なお、図４に示す構成要素と同様の機能を有する構成要素については、図４に示す符号と同一の符号を付すことにより、その説明を省略する。
【００６３】
図６Ａに示すように、第１変形例に係るスリット２ａは、上面視において直線形状である。具体的には、スリット２ａは、第２遮光層２０ｂのＹ軸正方向側の角部から有効領域３０に向かってＹ軸正方向へ傾斜する直線形状である。
【００６４】
かかる形態では、スリット２ａを第２遮光層２０ｂのＹ軸正方向側の角部から有効領域３０に向かってＹ軸正方向へ傾斜する直線形状にすることで、つまり、ＬＥＤ１１の発光面１１ａから発射する光の進行方向（Ｙ軸正方向）とは反対側の方向へスリット２ａを傾けることで、光が収納容器１０の外へ漏れないようにしている。
【００６５】
また、図６Ｂに示すように、第２変形例に係るスリット２ｂは、上面視において湾曲形状である。具体的には、スリット２ｂは、第２遮光層２０ｂのＹ軸正方向側の角部から有効領域３０に向かって円弧状に湾曲する湾曲形状である。
【００６６】
かかる形態では、スリット２ｂを上面視において湾曲形状とすることで、収納容器１０の側壁１０ｂの外側面１０ｂ−２に対面してスリット２ａを覗いた場合に、有効領域３０内の導光板４０が見えないようにして、光漏れを防止している。
【００６７】
上述したように、実施形態に係る面状照明装置１では、スリット２ａ，２ｂを直線形状あるいは湾曲形状にすることで、スリット２ａ，２ｂからの光の漏れや塵の侵入を防止することができる。
【００６８】
なお、他の変形例に係るスリットとしては、直線形状あるいは湾曲形状を組み合わせて、第１遮光シート２０と第２遮光シート２１との間に経路を形成してもよい。かかる形態であっても、光の漏れや塵の侵入を防止することができる。
【００６９】
また、例えば、液晶表示装置が直接張り付けられない領域であれば、第１遮光シート２０の一部と第２遮光シート２１の一部とを重ね合わせ、スリットが形成されないように構成してもよい。
【００７０】
具体的に、図５を用いて詳述すると、第１遮光シート２０の上面にまで液晶表示装置の載置面が届かない場合、収納容器１０のＹ軸方向に沿う側壁１０ｂにおいて、第２遮光シート２１の入光側面４０ｃ側の端部が、第１遮光シート２０の上面の一部に乗り上がってもよい。
【００７１】
かかる場合、第１遮光シート２０と第２遮光シート２１との間には、スリットが形成されないことになるが、第１遮光シート２０と第２遮光シート２１とは、構造の異なる別々の部材であるため、装置の使用環境に伴う応力の発生が抑制されることになる。
【００７２】
したがって、かかる場合においても、収納容器１０とともに第１遮光シート２０および第２遮光シート２１に接着されるプリズムシート１５および拡散シート１４における皺の発生を抑えることができ、上述同様に、長時間にわたって照明特性を維持できる。
【００７３】
次に、図７および図８を用いて、他の実施形態に係る面状照明装置１ａについて説明する。図７は他の実施形態に係る面状照明装置１ａの断面斜視図であり、図８は図７のＢ部分を拡大した平面図である。なお、図２に示す構成要素と同様の機能を有する構成要素については、図２に示す符号と同一の符号を付すことにより、その説明を省略する。
【００７４】
他の実施形態に係る面状照明装置１ａは、図２に示した面状照明装置１と略同様の構成であるが、第１遮光層２０ａの有効領域３０側の端部を第２遮光層２０ｂの有効領域３０側の端部まで延ばした点が異なる。
【００７５】
具体的には、図７に示すように、第１遮光層２０ａは、ＬＥＤ１１のＸ軸方向に沿う面に対向する側壁１０ｂの外側面１０ｂ−２からＬＥＤ１１の上面の全部および導光板４０の上面の一部にわたってＬＥＤ１１および導光板４０のＸ軸方向の幅方向に覆う。また、第１遮光層２０ａは、拡散シート１４およびプリズムシート１５それぞれの入光側面４０ｃ側の端部を覆う。
【００７６】
また、図８に示すように、第１遮光層２０ａの有効領域３０側の端部は、第２遮光層２０ｂの有効領域３０側の端部と揃っている。つまり、製造時において第１遮光層２０ａと第２遮光層２０ｂとを重ねた状態で有効領域３０側の端部を同時に切断することで、第１遮光層２０ａの有効領域３０側の端部と第２遮光層２０ｂの有効領域３０側の端部との切断面同士がきれいに揃う。
【００７７】
上述したように、他の実施形態に係る面状照明装置１ａでは、第１遮光層２０ａと第２遮光層２０ｂとの２層が、ＬＥＤ１１の上面の全部および導光板４０の上面の一部を覆っている。
【００７８】
このように、第１遮光層２０ａと第２遮光層２０ｂとの２層で、ＬＥＤ１１の上面の全部および導光板４０の上面の一部を覆うことで、スリット２からの光の漏れや塵の侵入をより確実に防止することができる。
【００７９】
なお、上述した実施形態では、複数のＬＥＤ１１がトップビュー型のＬＥＤである場合を説明したが、複数のＬＥＤ１１は、トップビュー型のＬＥＤに限られず、実装するＦＰＣが発光面１１ａと直交するサイドビュー型のＬＥＤであってもよい。
【００８０】
また、複数の点状光源であるＬＥＤ１１に代えて、複数のＬＥＤ１１が一体化され、直線状に構成された光源（線状光源）を用いてもよい。具体的には、例えば、複数のＬＥＤチップが長尺状の基板に実装され、複数のＬＥＤチップが封止樹脂で一体に覆われた線状光源を用いてもよい。この場合には、ＬＥＤチップを本発明の光源に置き換えることができる。
【００８１】
また、上記実施の形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００８２】
１  面状照明装置
２、２ａ、２ｂ  スリット
１０  収納容器
１０ａ  底部
１０ｂ  側壁
１０ｂ−１  内側面
１０ｂ−２  外側面
１０ｂ−３  上端面
１０ｃ  底面
１０ｃ−１  第１平面
１０ｃ−２  第２平面
１１  ＬＥＤ
１２  ＦＰＣ
２０  第１遮光シート
２０ａ  第１遮光層
２０ｂ  第２遮光層
２１  第２遮光シート
３０  有効領域
４０  導光板
４０ａ  出射面
４０ｂ  反射面
４０ｃ  入光側面
５０  容器本体
５１  枠部材
【図１】
2018092897.tif 000003
【図２】
2018092897.tif 000004
【図３】
2018092897.tif 000005
【図４】
2018092897.tif 000006
【図５】
2018092897.tif 000007
【図６Ａ】
2018092897.tif 000008
【図６Ｂ】
2018092897.tif 000009
【図７】
2018092897.tif 000010
【図８】
2018092897.tif 000011